(57)【要約】【課題】印刷データを生成して印刷装置に送信する処理をホスト装置に実行させるドライバプログラムであって、印刷完了までの時間を短縮させることのできるドライバプログラム等を提供する。【解決手段】印刷装置に給紙をさせるための給紙コマンドと当該印刷装置に印刷させる画像のデータを含む印刷データコマンドとから成る印刷データを、前記印刷装置に送信する処理をホスト装置に実行させるドライバプログラムにおいて、印刷装置における印刷処理の所定範囲に対応する前記印刷データの生成が、給紙コマンド、印刷データコマンドの順に行われる時に、前記所定範囲の印刷データの印刷装置への送信が、給紙コマンドを所定のパケットサイズ未満で送信し、当該送信の後に、印刷データコマンドを前記所定のパケットサイズで順次送信する、ことによって行なわれる。【選択図】  図２
2007018224.tif 000002
【特許請求の範囲】
【請求項１】
印刷装置に給紙をさせるための給紙コマンドと当該印刷装置に印刷させる画像のデータを含む印刷データコマンドとから成る印刷データを、前記印刷装置に送信する処理をホスト装置に実行させるドライバプログラムであって、
前記印刷装置における印刷処理の所定範囲に対応する前記印刷データの生成が、前記給紙コマンド、前記印刷データコマンドの順に行われる時に、
前記所定範囲の印刷データの前記印刷装置への送信が、前記給紙コマンドを所定のパケットサイズ未満で送信し、当該送信の後に、前記印刷データコマンドを前記所定のパケットサイズで順次送信する、ことによって行なわれる
ことを特徴とするドライバプログラム。
【請求項２】
請求項１において、
前記所定範囲の印刷データについての、前記給紙コマンドの送信が、対応する前記印刷データコマンドの生成が完了する前に行われる
ことを特徴とするドライバプログラム。
【請求項３】
請求項１あるいは請求項２において、
前記所定範囲に対応する印刷データが生成される時に、前記給紙コマンドの次に、コマンドの区切を示すダミーコマンドが生成され、
前記所定範囲の印刷データについての、前記給紙コマンドの送信が、前記ダミーコマンドと共に行なわれる
ことを特徴とするドライバプログラム。
【請求項４】
請求項１乃至請求項３のいずれかにおいて、
前記所定範囲に対応する印刷データのうちの前記印刷データコマンドの生成は、当該印刷データコマンドの生成が全て完了した後に、当該印刷データコマンドの前記送信が可能になる、ように行なわれる
ことを特徴とするドライバプログラム。
【請求項５】
印刷装置に給紙をさせるための給紙コマンドと当該印刷装置に印刷させる画像のデータを含む印刷データコマンドとから成る印刷データを、前記印刷装置に送信するデータ送信方法であって、
前記印刷装置における印刷処理の所定範囲に対応する前記印刷データの生成が、前記給紙コマンド、前記印刷データコマンドの順に行われる時に、
前記所定範囲の印刷データの前記印刷装置への送信が、前記給紙コマンドを所定のパケットサイズ未満で送信し、当該送信の後に、前記印刷データコマンドを前記所定のパケットサイズで順次送信する、ことによって行なわれる
ことを特徴とするデータ送信方法。
【請求項６】
給紙コマンドと印刷対象の画像データを含む印刷データコマンドから成る印刷データを生成して送信するホスト装置と、前記送信された印刷データを受信して当該印刷データに基いて印刷を実行する印刷装置とを有する印刷システムであって、
前記ホスト装置は、前記印刷装置における印刷処理の所定範囲に対応する前記印刷データを前記給紙コマンド、前記印刷データコマンドの順で生成し、当該所定範囲の印刷データの送信を、前記給紙コマンドを所定のパケットサイズ未満で送信し、当該送信の後に、前記印刷データコマンドを前記所定のパケットサイズで順次送信する、ことによって行い、
前記印刷装置は、前記所定範囲の印刷データについて前記送信された給紙コマンドを受信すると、対応する前記印刷データコマンドの受信に関わらず、前記給紙コマンドに基いて給紙動作を実行する
ことを特徴とする印刷システム。
【発明の詳細な説明】
【技術分野】
【０００１】
本発明は、印刷データを生成して印刷装置に送信する処理をホスト装置に実行させるドライバプログラム等に関し、特に、印刷完了までの時間を短縮させることのできるドライバプログラム等に関する。
【背景技術】
【０００２】
通常、パーソナルコンピュータ等のホスト装置とプリンタから構成される印刷システムにおいては、当該プリンタ用の印刷データがホスト装置によって生成されてプリンタに送信され、プリンタ側では、当該印刷データを受信して解釈し、その結果に基づいて印刷処理を実行する。
【０００３】
ここで、プリンタがインクジェット方式のものである場合には、インクを吐出するノズルを備えたヘッド部が、紙などの印刷媒体に対して移動しながら印字を行う。そして、印刷媒体の１方向について端から端まで移動すると、すなわち１パス（走査）の処理が終了すると、次のパスの印字のために印刷媒体が前記ヘッド部の移動と直交する方向に移動して、その後にヘッド部による印字が行われる。従って、当該タイプのプリンタでは、１パス毎にいわゆる給紙動作が必要となる。そこで、かかるプリンタ用の前述した印刷データは、１パス分について、上記給紙動作をさせるための給紙コマンドと印刷対象である画像のデータを含む印刷データコマンドから構成される。
【０００４】
従来、このような印刷システムにおける、前記１パス分の印刷データのホスト装置からプリンタへの送信は、前記給紙コマンドを先頭とする印刷データの最初から、所定のパケットサイズ毎に順次行われていた。そして、最近では、転送性能が向上している通信ポートの能力を十分に生かすために、１回の転送で送られる前記パケットサイズが大きくなってきている。
【０００５】
この様に所定サイズのパケット通信を行う技術については、従来よりいくつか提案されている。例えば、下記特許文献１には、データパケットを同じパケットサイズで周期的に送信することが示されており、また、下記特許文献２には、圧縮データをパケット通信で送る際に、所定の分割データ長にして送信する点が示されている。
【特許文献１】特開平１１−１８８９５３号公報
【特許文献２】特開２００３−６０６５０号公報
【発明の開示】
【発明が解決しようとする課題】
【０００６】
上述した従来の給紙コマンドを含む印刷データの送信方法においては、使用するパケットサイズに対して給紙コマンドのサイズが非常に小さいため、１パスの印刷データについて、まず、給紙コマンドと印刷データコマンドから構成される前記パケットサイズのデータが、プリンタへ送信されることになる。そして、プリンタは、当該データに含まれる給紙コマンドにより給紙動作を行うことになる。
【０００７】
従って、プリンタ側は、少なくとも、この給紙コマンドと共に送信される印刷データコマンドがホスト装置側で生成されるまでは給紙動作を行えないことになる。特に、１パス分の印刷データコマンドについて全てを生成後でないと、印刷データコマンドをプリンタ側へ送信できない場合には、プリンタ側は、１パス分の印刷データコマンドの生成を完了するまで給紙動作を行えないことになる。
【０００８】
通常、ホスト装置におけるこの印刷データコマンドの生成処理と、プリンタ側における給紙動作は、時間のかかる処理であり、上記従来のデータ送信方法では、これら時間を要する二つの処理が並行して行われない状態になっているといえる。よって、ホスト装置側における印刷要求からプリンタにおける印刷処理の完了までに要する時間を短縮する上で、この点が一つの課題であるといえる。
【０００９】
そこで、本発明の目的は、印刷データを生成して印刷装置に送信する処理をホスト装置に実行させるドライバプログラムであって、印刷完了までの時間を短縮させることのできるドライバプログラム等を提供することである。
【課題を解決するための手段】
【００１０】
上記の目的を達成するために、本発明の一つの側面は、印刷装置に給紙をさせるための給紙コマンドと当該印刷装置に印刷させる画像のデータを含む印刷データコマンドとから成る印刷データを、前記印刷装置に送信する処理をホスト装置に実行させるドライバプログラムにおいて、前記印刷装置における印刷処理の所定範囲に対応する前記印刷データの生成が、前記給紙コマンド、前記印刷データコマンドの順に行われる時に、前記所定範囲の印刷データの前記印刷装置への送信が、前記給紙コマンドを所定のパケットサイズ未満で送信し、当該送信の後に、前記印刷データコマンドを前記所定のパケットサイズで順次送信する、ことによって行なわれることである。
【００１１】
更に、上記の発明において、好ましい態様は、前記所定範囲の印刷データについての、前記給紙コマンドの送信が、対応する前記印刷データコマンドの生成が完了する前に行われることを特徴とする。
【００１２】
更に、上記の発明において、好ましい態様は、前記所定範囲に対応する印刷データが生成される時に、前記給紙コマンドの次に、コマンドの区切を示すダミーコマンドが生成され、前記所定範囲の印刷データについての、前記給紙コマンドの送信が、前記ダミーコマンドと共に行なわれることを特徴とする。
【００１３】
更にまた、上記の発明において、一つの態様は、前記所定範囲に対応する印刷データのうちの前記印刷データコマンドの生成は、当該印刷データコマンドの生成が全て完了した後に、当該印刷データコマンドの前記送信が可能になる、ように行なわれることを特徴とする。
【００１４】
上記の目的を達成するために、本発明の別の側面は、印刷装置に給紙をさせるための給紙コマンドと当該印刷装置に印刷させる画像のデータを含む印刷データコマンドとから成る印刷データを、前記印刷装置に送信するデータ送信方法において、前記印刷装置における印刷処理の所定範囲に対応する前記印刷データの生成が、前記給紙コマンド、前記印刷データコマンドの順に行われる時に、前記所定範囲の印刷データの前記印刷装置への送信が、前記給紙コマンドを所定のパケットサイズ未満で送信し、当該送信の後に、前記印刷データコマンドを前記所定のパケットサイズで順次送信する、ことによって行なわれることである。
【００１５】
上記の目的を達成するために、本発明の更に別の側面は、給紙コマンドと印刷対象の画像データを含む印刷データコマンドから成る印刷データを生成して送信するホスト装置と、前記送信された印刷データを受信して当該印刷データに基いて印刷を実行する印刷装置とを有する印刷システムにおいて、前記ホスト装置は、前記印刷装置における印刷処理の所定範囲に対応する前記印刷データを前記給紙コマンド、前記印刷データコマンドの順で生成し、当該所定範囲の印刷データの送信を、前記給紙コマンドを所定のパケットサイズ未満で送信し、当該送信の後に、前記印刷データコマンドを前記所定のパケットサイズで順次送信する、ことによって行い、前記印刷装置は、前記所定範囲の印刷データについて前記送信された給紙コマンドを受信すると、対応する前記印刷データコマンドの受信に関わらず、前記給紙コマンドに基いて給紙動作を実行することである。
【００１６】
本発明の更なる目的及び、特徴は、以下に説明する発明の実施の形態から明らかになる。
【発明を実施するための最良の形態】
【００１７】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１８】
図１は、本発明を適用した印刷システムの実施の形態例に係る構成図である。図１に示す印刷システム１が、本発明を適用した印刷システムであり、１パス分の印刷データの送信について、まず、給紙コマンドとコマンドの区切を示すダミーコマンドのみを所定のパケットサイズ未満でプリンタ３へ送信し、プリンタ３における給紙動作を従来よりも早期に開始させ、ホストコンピュータ２における印刷データコマンドの生成とプリンタ３における給紙動作を並行させて、印刷完了までの時間を短縮させようとするものである。
【００１９】
図１に示すように、本実施の形態例における印刷システム１は、ホストコンピュータ２とプリンタ３から構成される。
【００２０】
ホストコンピュータ２は、プリンタ３に対して印刷データを送信して印刷要求を行うホスト装置であり、例えば、パーソナルコンピュータ等で構成される。図１に示すように、ホストコンピュータ２には、アプリケーション２１、プリンタドライバ２２、及びデータバッファ２５等が備えられる。
【００２１】
アプリケーション２１は、例えば、文書作成ソフトウェア等の印刷要求元であり、印刷対象の描画データを所定のフォーマットでプリンタドライバ２２に渡す。
【００２２】
プリンタドライバ２２は、前記アプリケーション２１からの印刷要求を受けて、プリンタ３に送る印刷データを生成し、当該印刷データをプリンタ３に送信する部分である。図１に示すように、当該プリンタドライバ２２は、前記印刷データを生成する部分であるコマンド生成部２３と生成された印刷データをプリンタ３に送信する部分であるコマンド送信部２４から構成されている。本プリンタドライバ２２では、給紙コマンドと印刷データコマンドから構成される１パス分の印刷データの送信方法に特徴を有し、その具体的な処理内容については後述する。なお、プリンタドライバ２２は、処理の手順を指示するプログラムと、当該プログラムに従って処理を実行する制御装置等によって構成することができる。また、当該プログラムは、ＣＤ−ＲＯＭなどの記憶媒体に格納されているものをインストールしたり、インターネットなどのネットワークを介して所定のサイトからダウンロードすることによりホストコンピュータ２に備えられる。
【００２３】
次に、データバッファ２５は、前記生成される印刷データを一時的に保存するデータ記憶手段であり、ホストコンピュータ２に備えられるメモリで構成される。
【００２４】
プリンタ３は、本印刷システム１における印刷装置であり、ホストコンピュータ２からの印刷データを受信し、当該印刷データに基づいて印刷を実行する、例えば、インクジェットプリンタである。図示していないが、プリンタ３には、受信した印刷データを解釈して印刷指示を出す部分、当該指示に従って印刷処理を実行する部分等が備えられる。印刷処理を実行する部分には、紙などの印刷媒体に対してインクを吐出する複数のノズルを備えたヘッド部があり、当該ヘッド部が印刷媒体上を移動しながら印刷が実行される。また、紙などの印刷媒体を供給する給紙装置が備えられ、印刷媒体を所定の印刷位置へ移動する動作を行う。１枚の印刷媒体についていえば、最初に行われる給紙トレイや給紙カセットからの給紙、及び前記ヘッド部の１走査毎に行われる印刷位置への移動が行われる。なお、この給紙装置による給紙動作は、印刷データに含まれる前記給紙コマンドに基づいて実行される。
【００２５】
以上説明したような構成を有する本実施の形態例における印刷システム１では、前述したように、印刷データのプリンタ３への送信に特徴があり、以下、この点を中心に本印刷システム１の処理手順について説明する。まず、ホストコンピュータ２で生成されてプリンタ３へ送信される１パス分の印刷データについて説明する。図２は、１パス分の印刷データとその送信方法について説明するための図である。図２の（Ａ）は、１パス分の印刷データ（図中のａ）を模式的に示した図である。先頭に、前述したプリンタ３における給紙動作を実行させるための給紙コマンドｂがあり、その後ろに印刷対象である画像のデータを含む印刷データコマンドｄがあるが、本印刷システム１では、これらの間に、コマンドの区切を示すダミーコマンドｃが挿入される。そして、この印刷データａのサイズは、印刷対象によってまちまちであるが、給紙コマンドｂ及びダミーコマンドｃのサイズは、印刷データコマンドｄに比してかなり小さいものである。
【００２６】
以下、本印刷システム１の各部における処理手順について順次説明する。なお、ここでは、前述したプリンタ３におけるヘッド部の１パス分の印刷データの処理について説明する。まず、プリンタドライバ２２のコマンド生成部２３は、１パス分の印刷データの先頭部分である給紙コマンドを生成し、当該給紙コマンドにダミーコマンドを付加してコマンド送信部２４へ渡す。その後、コマンド生成部２３は、印刷データコマンドを生成して、生成した印刷データコマンドをコマンド送信部２４へ渡す。
【００２７】
次に、コマンド送信部２４は、前記給紙コマンドとダミーコマンドをコマンド生成部２３から受け取ると、それらをまずプリンタ３へ送信する。この点が、従来方法と大きく異なる点であり、予め定められたパケットサイズになるように、次の印刷データコマンドを受け取るのを待って当該パケットサイズにしてからプリンタ３へ送信するのではなく、当該パケットサイズに満たない給紙コマンドとダミーコマンドの状態で送信を行ってしまう。その後、コマンド生成部２３から渡される印刷データコマンドを順次受け取って蓄積し、蓄積した印刷データコマンドが前記パケットサイズになると、その蓄積していた印刷データコマンドを前記パケットサイズでプリンタ３に送信する。これを、当該パスの印刷データについて送信を終了するまで繰り返し行う。
【００２８】
図２の（Ｂ）には、このコマンド送信部２４による送信方法が例示されており、まず、コマンド送信部２４は、給紙コマンドｂとダミーコマンドｃを当該パスについて１回目の送信としてプリンタ３へ送信する。その後、順次、印刷データコマンドｄをコマンド生成部２３から受け取り、所定のパケットサイズ（例えば、１６ｋバイト）になる度に、プリンタ３への送信を行う（図中の２回目、３回目）。そして、この例では、４回目の送信をもって当該パスの印刷データａについての送信が終了する。
【００２９】
図２の（Ｃ）は、同じパスの印刷データについて従来法で送信する場合を例示している。図に示すように、従来は、所定のパケットサイズ（例えば、１６ｋバイト）で送信を行なうのを原則としているので、給紙コマンドｂを受け取った後直ぐに送信せず、印刷データコマンドｄを待ち、蓄積量が前記パケットサイズになった時点でプリンタへの送信を行なう（図中の１回目）。その後も、受け取って蓄積されたデータ量が前記パケットサイズになる度に送信行い（図中の２回目）、この例では、３回目の送信をもって当該パスについての送信が終了する。
【００３０】
図３は、コマンド送信部２４で行われる処理手順の一例を示したフローチャートである。図３の（Ａ）は、コマンド送信部２４で行われるコマンドの受信処理を示しており、この受信処理では、まず、コマンド生成部２３から送信されたコマンドを受け付ける（ステップＳ１１）。そして、受け付けたコマンドを、前述したデータバッファ２５にスプーリングする（蓄積しておく）（ステップＳ１２）。その後、１パス分について全てのコマンドをスプーリングしたか否かをチェックし（ステップＳ１３）、全てのスプーリングを終了していなければ（ステップＳ１３のＮｏ）、前記ステップＳ１１からの処理を繰り返す。すなわち、次のコマンド生成部２３からのコマンド送信を待って、同様にスプーリングを行なう。
【００３１】
一方、全てのスプーリングを終了していれば（ステップＳ１３のＹｅｓ）、後述するコマンド送信処理に全コマンドのスプーリングが終了したことを通知する（ステップＳ１４）。これによって、１パス分のコマンドについての受信処理を終了する。
【００３２】
図３の（Ｂ）は、コマンド送信部２４で行われるコマンドの送信処理を示しており、この送信処理では、まず、データバッファ２５をチェックする（ステップＳ２１）。そして、処理中のパスについて全コマンドをプリンタ３へ送信済みである場合には（ステップＳ２２のＹｅｓ）、当該パスについての送信処理を終了する。
【００３３】
一方、全コマンドをプリンタ３へ送信済みでない場合には（ステップＳ２２のＮｏ）、データバッファ２５に蓄積されプリンタ３へ送信していないコマンドのサイズが、前記予め定められた（転送）パケットサイズ以上になっているか否かをチェックする（ステップＳ２３）。そして、前記パケットサイズ以上になっている場合には（ステップＳ２３のＹｅｓ）、データバッファ２５に蓄積されプリンタ３へ送信していないコマンドを前記パケットサイズでプリンタ３へ送信する（ステップＳ２６）。その後、処理は前述したステップＳ２１に戻る。
【００３４】
一方、前記パケットサイズ以上になっていない場合には（ステップＳ２３のＮｏ）、データバッファ２５に蓄積されプリンタ３へ送信していないコマンドにダミーコマンドがあるか否かをチェックする（ステップＳ２４）。そして、ダミーコマンドがある場合には（ステップＳ２４のＹｅｓ）、データバッファ２５に蓄積されプリンタ３へ送信していないコマンドをプリンタ３へ送信する（ステップＳ２６）。その後、処理は前述したステップＳ２１に戻る。
【００３５】
一方、ダミーコマンドがない場合には（ステップＳ２４のＮｏ）、当該パスについて全てのコマンドの前記受信処理でのスプーリングが終了しているか否かをチェックする（ステップＳ２５）。そして、全コマンドについてスプーリングが終了している場合には（ステップＳ２５のＹｅｓ）、すなわち、前記ステップＳ１４における通知がなされていれば、データバッファ２５に蓄積されプリンタ３へ送信していないコマンドをプリンタ３へ送信する（ステップＳ２６）。その後、処理は前述したステップＳ２１に戻る。
【００３６】
一方、全コマンドについてスプーリングが終了していない場合には（ステップＳ２５のＮｏ）、すなわち、前記ステップＳ１４における通知が未だなされていなければ、処理は前述したステップＳ２１に戻る。
【００３７】
このようにして、処理中のパスについて全コマンドをプリンタ３へ送信済みになるまで（ステップＳ２２のＹｅｓになるまで）、処理が繰り返される。
【００３８】
図２の（Ｂ）に示した例では、給紙コマンドｂとダミーコマンドｃを受信した時点で、当該パスについて全てのコマンドを送信済みでなく（Ｓ２２のＮｏ）、また、転送パケットサイズに満たないが（Ｓ２３のＮｏ）、ダミーコマンドがあるので（Ｓ２４のＹｅｓ）、プリンタ３への１回目の送信が行なわれる。その後、印刷データコマンドｄを受信しながら、ステップＳ２１からステップＳ２５のＮｏまでの処理を繰り返し、蓄積され未送信の印刷データコマンドｄが転送パケットサイズ以上になった時点で（Ｓ２３のＹｅｓ）、２回目の送信が行なわれる。そして、同様に、３回目の送信が行なわれ、最後に、全コマンドについてスプーリングが終了していることにより（Ｓ２５のＹｅｓ）、４回目の送信が行なわれる。
【００３９】
以上でホストコンピュータ２側での処理が終了する。最後に、プリンタ３は、対象としているパスについて、まず、給紙コマンドとダミーコマンドを受信することになる。ダミーコマンドがあることで、プリンタ３は、給紙コマンドが完了していることを認知でき、従って、この給紙コマンドに基づいて給紙動作を開始する。すなわち、当該パスについて印刷データコマンドを受信する前に給紙動作に入る。
【００４０】
その後、順次、印刷データコマンドを受信し、当該コマンドを解釈して印字動作に入るが、そのための給紙動作はすでに完了し、直ぐに印字動作を開始することができる。
【００４１】
このようにして、本印刷システム１における１パス分の処理が行なわれる。
【００４２】
以上説明したように、本実施の形態例に係る印刷システム１では、１パス分の印刷データをホストコンピュータ２からプリンタ３に送信する際に、その印刷データの最初に生成される給紙コマンドとコマンドの区切を示すダミーコマンドを所定のパケットサイズ未満のサイズでまず送信し、その後に、前記所定パケットサイズで順次印刷データコマンドを送信する。従って、印刷データコマンドが生成されているか否かに関わらず、給紙コマンドのプリンタ３への送信と当該給紙コマンドに基づくプリンタ３での給紙動作が行なわれ、処理の中で時間を要する印刷データコマンドの生成と給紙動作を並行して実行することが可能となり、印刷要求から印刷完了までの時間短縮を図ることができる。
【００４３】
特に、１パス分の印刷データコマンドについて、部分毎に順番に生成することができない場合には、言い換えれば、１パス全てについて生成されないと印刷データコマンドが確定しない場合には、従来のように、給紙コマンドと印刷データコマンドを一緒に送信する方法では、１パス分全ての印刷データコマンドが生成されないと、給紙コマンドをプリンタへ送信できず、当然に、プリンタでの給紙動作が開始できないことになるのと比して、１パス分全ての印刷データコマンドの生成に要する時間分、早く給紙動作を開始することができる。
【００４４】
また、その印刷媒体（用紙）について最初のパスの処理においては、給紙動作に給紙トレイ等から印刷媒体を搬送する処理が含まれるが、かかる場合にも、前述した処理を同様に適用でき、同様の効果を得ることができる。
【００４５】
本発明の保護範囲は、上記の実施の形態に限定されず、特許請求の範囲に記載された発明とその均等物に及ぶものである。
【図面の簡単な説明】
【００４６】
【図１】本発明を適用した印刷システムの実施の形態例に係る構成図である。
【図２】１パス分の印刷データとその送信方法について説明するための図である。
【図３】コマンド送信部２４で行われる処理手順の一例を示したフローチャートである。
【符号の説明】
【００４７】
１  印刷システム、  ２  ホストコンピュータ、  ３  プリンタ、  ２１  アプリケーション、  ２２  プリンタドライバ、  ２３  コマンド生成部、  ２４  コマンド送信部、  ２５  データバッファ
【図１】
2007018224.tif 000003
【図２】
2007018224.tif 000004
【図３】
2007018224.tif 000005